(57)【要約】【課題】  床パネルを支持する亜鉛メッキを施した既設の床支柱の交換作業を行うことなく、ウイスカの飛散を容易に防止する床支柱のウイスカ飛散防止装置を提供すること。【解決手段】  本発明の床支柱のウイスカ飛散防止装置は、床パネル１９を支持する床支柱１０のベース部１１を互いに向合せたベースカバー２１Ａ、２１Ｂにより覆うベースカバー部２１と、ベースカバー２１Ａ、２１Ｂにそれぞれ固定され床支柱１０の支柱部１２の下側を覆う互いに向合せた連結用カバー２２Ａ、２２Ｂと、連結用カバー２２Ａ、２２Ｂと連結し、支柱部１２を互いに向合せた支柱カバー２５Ａ、２５Ｂにより覆う支柱カバー部２５とを備えることとした。【選択図】  図１
2006144520.tif 000002
【特許請求の範囲】
【請求項１】
床パネルを支持する床支柱のベース部を互いに向合せたベースカバーにより覆うベースカバー部と、前記ベースカバーにそれぞれ固定され前記床支柱の支柱部の下側を覆う互いに向合せた連結用カバーと、前記連結用カバーと連結し、前記支柱部を互いに向合せた支柱カバーにより覆う支柱カバー部とを備えたことを特徴とする床支柱のウイスカ飛散防止装置。
【請求項２】
前記支柱カバーは、前記連結用カバーに対し高さ方向に調整取付け可能とすることを特徴とする請求項１に記載の床支柱のウイスカ飛散防止装置。
【請求項３】
前記連結用カバーを互いに向合せる方向と、前記支柱カバーを互いに向合せる方向とを直交させることを特徴とする請求項１に記載の床支柱のウイスカ飛散防止装置。
【請求項４】
床パネルを支持する床支柱のベース部を互いに向合せたベースカバーにより覆うベースカバー部と、前記床支柱の支柱部の下側を覆う互いに向合せた高さ調整用カバーと、前記高さ調整用カバーと高さ調整可能に連結し、前記支柱部を互いに向合せた支柱カバーにより覆う支柱カバー部とを備えたことを特徴とする床支柱のウイスカ飛散防止装置。
【請求項５】
前記高さ調整用カバーを互いに向合せる方向と、前記支柱カバーを互いに向合せる方向とを直交させることを特徴とする請求項４に記載の床支柱のウイスカ飛散防止装置。
【請求項６】
床パネルを支持する床支柱のベース部を互いに向合せたベースカバーにより覆うベースカバー部と、前記床支柱の支柱部に掛けられ互いに向合せた支柱カバーにより前記支柱部を覆う支柱カバー部とを備え、前記互いに向合せたベースカバーは、前記互いに向合せた支柱カバーを挟んで前記ベース部を覆うことを特徴とする床支柱のウイスカ飛散防止装置。
【請求項７】
床パネルを支持する床支柱のベース部を互いに向合せたベースカバーにより覆うベースカバー部と、互いに向合せた支柱カバーにより前記床支柱に設置される床パネルとの間にすき間を保ち、前記支柱部を覆う支柱カバー部とを備え、前記互いに向合せたベースカバーは、前記互いに向合せた支柱カバーを挟んで前記ベース部を覆うことを特徴とする床支柱のウイスカ飛散防止装置。
【請求項８】
前記ベースカバー、前記連結用カバー、前記支柱カバーおよび前記高さ調整用カバーのカバー類は、ウイスカが発生しない金属板、ウイスカが発生しないメッキを施した鋼板、または、不燃性の樹脂とすることを特徴とする請求項１から７のいずれがに記載のウイスカ飛散防止装置。
【発明の詳細な説明】
【技術分野】
【０００１】  本発明は、床パネルを支持する亜鉛メッキを施した既設の床支柱の交換作業を行うことなく、ウイスカの飛散を容易に防止する床支柱のウイスカ飛散防止装置に関する。
【背景技術】
【０００２】  コンピュータやデータ保管機器類などのコンピュータ機器が設置されるコンピュータ室の床下は、コンクリート床の上方に設けられた床支柱により床パネルが支持され、コンピュータ機器冷却用の空気を流したり、多数のケーブルを引き回すためのすき間が設けられている。このすき間を設けるための床支柱は、耐食性に優れ安価であることから亜鉛メッキが施されている。亜鉛メッキの表面には、直径２μｍ、長さ２ｍｍ程度の目に見えないほど細い亜鉛のひげ状結晶のウイスカが発生することがあり（例えば、特許文献１参照）、発生したウイスカが亜鉛メッキの表面から飛散し、床下からコンピュータ室内に浮遊しコンピュータ機器の中に入り込み、電気的短絡が発生することがあるとの報告が行われている（例えば、非特許文献１、２参照）。【０００３】
【特許文献１】      特許第３３４０４０１号公報
【非特許文献１】      （社）電子情報技術産業協会  平成１４年１月１６日  ウイスカにご注意ください
【非特許文献２】      ＮＩＫＫＥＩ  ＥＬＥＣＴＲＯＮＩＣＳ  ２００３．１．６（５９〜６８頁）
【発明の開示】
【発明が解決しようとする課題】
【０００４】  上記したごとく床パネルを支持する既設の亜鉛メッキを施した床支柱よりウイスカが発生したときには、発生したウイスカが亜鉛メッキの表面から飛散し、床下からコンピュータ室内に浮遊しコンピュータ機器の中に入り込み、電気的短絡が発生するおそれがあるため、新品の床支柱または、クロムメッキなどを施したウイスカが発生しない床支柱と交換する必要があるが、床下のすき間は狭く、機器冷却用のダクトや極めて多数のケーブルが配設されており、床支柱の交換作業は極めて困難であるとともに、ケーブルの配設に支障を来たしコンピュータ機器の誤作動をまねく重大な支障を引き起こすおそれがあるという問題があった。既設の亜鉛メッキを施した床支柱よりウイスカが飛散することを防止するため、床支柱の表面に塗装することも考えられるが、ウイスカは塗膜を破って成長するため効果は期待できない。
本発明は、上記に鑑みてなされたものであって、床パネルを支持する亜鉛メッキを施した既設の床支柱の交換作業を行うことなく、ウイスカの飛散を容易に防止する床支柱のウイスカ飛散防止装置を提供することを目的とする。
【課題を解決するための手段】
【０００５】  本発明の床支柱のウイスカ飛散防止装置は、床パネルを支持する床支柱のベース部を互いに向合せたベースカバーにより覆うベースカバー部と、前記ベースカバーにそれぞれ固定され前記床支柱の支柱部の下側を覆う互いに向合せた連結用カバーと、前記連結用カバーと連結し、前記支柱部を互いに向合せた支柱カバーにより覆う支柱カバー部とを備えることとした。
また、前記支柱カバーは、前記連結用カバーに対し高さ方向に調整取付け可能とすることとした。
また、前記連結用カバーを互いに向合せる方向と、前記支柱カバーを互いに向合せる方向とを直交させることとした。
また、本発明の床支柱のウイスカ飛散防止装置は、床パネルを支持する床支柱のベース部を互いに向合せたベースカバーにより覆うベースカバー部と、前記床支柱の支柱部の下側を覆う互いに向合せた高さ調整用カバーと、前記高さ調整用カバーと高さ調整可能に連結し、前記支柱部を互いに向合せた支柱カバーにより覆う支柱カバー部とを備えることとした。
また、前記高さ調整用カバーを互いに向合せる方向と、前記支柱カバーを互いに向合せる方向とを直交させることとした。
また、本発明の床支柱のウイスカ飛散防止装置は、床パネルを支持する床支柱のベース部を互いに向合せたベースカバーにより覆うベースカバー部と、前記床支柱の支柱部に掛けられ互いに向合せた支柱カバーにより前記支柱部を覆う支柱カバー部とを備え、前記互いに向合せたベースカバーは、前記互いに向合せた支柱カバーを挟んで前記ベース部を覆うこととした。
また、本発明の床支柱のウイスカ飛散防止装置は、床パネルを支持する床支柱のベース部を互いに向合せたベースカバーにより覆うベースカバー部と、互いに向合せた支柱カバーにより前記床支柱に設置される床パネルとの間にすき間を保ち、前記支柱部を覆う支柱カバー部とを備え、前記互いに向合せたベースカバーは、前記互いに向合せた支柱カバーを挟んで前記ベース部を覆うこととした。
さらに、前記ベースカバー、前記連結用カバー、前記支柱カバーおよび前記高さ調整用カバーのカバー類は、ウイスカが発生しない金属板、ウイスカが発生しないメッキを施した鋼板、または、不燃性の樹脂とすることとした。
【発明の効果】
【０００６】  本発明の床支柱のウイスカ飛散防止装置は、床パネルを支持する床支柱のベース部を互いに向合せたベースカバーにより覆うベースカバー部と、前記ベースカバーにそれぞれ固定され前記床支柱の支柱部の下側を覆う互いに向合せた連結用カバーと、前記連結用カバーと連結し、前記支柱部を互いに向合せた支柱カバーにより覆う支柱カバー部とを備えることとしたため、床下のすき間は狭く、機器冷却用のダクトや極めて多数のケーブルが配設されているが、床支柱を容易に覆い、コンピュータ機器の誤作動をまねく重大な支障を引き起こすことなくウイスカの飛散を容易に防止することができる。
また、前記支柱カバーは、前記連結用カバーに対し高さ方向に調整取付け可能とすることとしたため、床支柱の側面を確実に覆うことができる。
また、前記連結用カバーを互いに向合せる方向と、前記支柱カバーを互いに向合せる方向とを直交させることとしたため、連結用カバーと支柱カバーとを強固に連結し設置することができる。
また、本発明の床支柱のウイスカ飛散防止装置は、床パネルを支持する床支柱のベース部を互いに向合せたベースカバーにより覆うベースカバー部と、前記床支柱の支柱部の下側を覆う互いに向合せた高さ調整用カバーと、前記高さ調整用カバーと高さ調整可能に連結し、前記支柱部を互いに向合せた支柱カバーにより覆う支柱カバー部とを備えることとしたため、床支柱を確実に覆い、コンピュータ機器の誤作動をまねく重大な支障を引き起こすことなくウイスカの飛散を容易に防止することができる。
また、前記高さ調整用カバーを互いに向合せる方向と、前記支柱カバーを互いに向合せる方向とを直交させることとしたため、高さ調整用カバーと支柱カバーとを強固に連結し設置することができる。
また、本発明の床支柱のウイスカ飛散防止装置は、床パネルを支持する床支柱のベース部を互いに向合せたベースカバーにより覆うベースカバー部と、前記床支柱の支柱部に掛けられ互いに向合せた支柱カバーにより前記支柱部を覆う支柱カバー部とを備え、前記互いに向合せたベースカバーは、前記互いに向合せた支柱カバーを挟んで前記ベース部を覆うこととしたため、床支柱を簡潔構造で確実に覆い、コンピュータ機器の誤作動をまねく重大な支障を引き起こすことなくウイスカの飛散を容易に防止することができる。
また、本発明の床支柱のウイスカ飛散防止装置は、床パネルを支持する床支柱のベース部を互いに向合せたベースカバーにより覆うベースカバー部と、互いに向合せた支柱カバーにより前記床支柱に設置される床パネルとの間にすき間を保ち、前記支柱部を覆う支柱カバー部とを備え、前記互いに向合せたベースカバーは、前記互いに向合せた支柱カバーを挟んで前記ベース部を覆うこととしたため、床支柱を簡潔構造で確実容易に覆い、コンピュータ機器の誤作動をまねく重大な支障を引き起こすことなくウイスカの飛散を容易に防止することができる。
さらに、前記ベースカバー、前記連結用カバー、前記支柱カバーおよび前記高さ調整用カバーのカバー類は、ウイスカが発生しない金属板、ウイスカが発生しないメッキを施した鋼板、または、不燃性の樹脂とすることとしたため、ウイスカの発生を確実に防止することができる。
【発明を実施するための最良の形態】
【０００７】  以下、本発明の実施の形態の床支柱のウイスカ飛散防止装置につき図を用いて説明する。
【実施例１】
【０００８】  図１は、本発明の第１の実施の形態の床支柱のウイスカ飛散防止装置の斜視図を示す。
図１に示すように、コンピュータやデータ保管機器類などのコンピュータ機器が設置されるコンピュータ室の床パネル１９（図２参照）を支持する床支柱１０は、コンピュータ室の基礎のコンクリート床２９（図２参照）に固定されるベース部１１と、ベース部１１に取り付けられる支柱部１２と、支柱部１２の上側端部に取付けられる床受部１３とで構成されている。支柱部１２には外周にネジ部１２ａが形成され、支柱部１２と床受部１３とを連結するとともに、高さ調整を行う高さ調整ナット１４が取付けられている。床受部１３は、下端側に高さ調整ナット１４が回転自在に連結し、上端側に床受ブロック１３ａが固定され、さらに床受ブロック１３ａの上面には床パネル係止部１３ｂが形成されている。
このように、コンピュータ室の床下には、床支柱１０により床パネルが支持され、コンクリート床２９と床パネル１９との間にすき間が設けられている。このすき間には、コンピュータ機器冷却用の空気を流したり、多数のケーブルが配設されている。床支柱１０は、耐食性に優れ安価であることから亜鉛メッキが施されたものが一般的に用いられている。
本発明の第１の実施の形態の床支柱のウイスカ飛散防止装置２０は、床パネルを支持する亜鉛メッキが施された床支柱１０のベース部１１を覆うベースカバー部２１と、床支柱１０の支柱部１２と床受部１３とを側方から覆う支柱カバー部２５とで構成されている。ベースカバー部２１は、互いに向合せてベース部１１を覆う２個のベースカバー２１Ａ、２１Ｂとで構成され、支柱カバー部２５は、互いに向合せて支柱部１２と床受部１３とを側方から覆う２個の支柱カバー２５Ａ、２５Ｂとで構成されている。
ベースカバー２１Ａ、２１Ｂは、上面に断面がコの字形状で支柱カバー２５Ａ、２５Ｂが外側に連結取付け可能の連結用カバー２２Ａ、２２Ｂが固定されている。また、ベースカバー２１Ｂには、ベースカバー２１Ａと向き合う側の上面と側面に突部２３ｂが形成されたプレート２３ｃが取付けられ、ベースカバー２１Ａには、ベースカバー２１Ｂの上面と側面に取付けられたプレート２３ｃに形成された突部２３ｂと係合する穴２３ａが明けられている。ベースカバー２１Ａ、２１Ｂは、突部２３ｂと穴２３ａとにより水平方向から連結することができる。
支柱カバー２５Ｂには、支柱カバー２５Ａと向き合う側の側面外側に突部２６ｂが予め定めた複数個形成され、支柱カバー２５Ａには、支柱カバー２５Ｂと向き合う側の側面に支柱カバー２５Ｂの突部２６ｂと内側で係合する穴２６ａが予め定めた複数個明けられている。支柱カバー２５Ａ、２５Ｂは、突部２６ｂと穴２６ａとにより水平方向から連結することができる。また、支柱カバー２５Ａ、２５Ｂには、内側に凸設した平板状の止部２７ａが取付けられ、ベースカバー２１Ａ、２１Ｂの連結用カバー２２Ａ、２２Ｂには、平板状の止部２７ａが挿入可能の複数のスリット２７ｂが側面に形成され、平板状の止部２７ａとスリット２７ｂとにより、支柱カバー２５Ａ、２５Ｂをベースカバー２１Ａ、２１Ｂに対し高さ方向に調整取付け可能とする高さ調整機構を構成している。
ベースカバー部２１と、連結用カバー２２Ａ、２２Ｂと、支柱カバー部２５とは、アルミやステンレスなどのウイスカが発生しない金属板、クロムメッキや、ニッケルメッキや、電気亜鉛メッキなどのウイスカが発生しないメッキを施した鋼板、または、不燃性の樹脂を使用する。【０００９】  図１により、ウイスカ飛散防止装置２０を亜鉛メッキが施されている既存の床支柱１０に設置する作業につき説明する。
まず、ウイスカ飛散防止装置２０のベースカバー部２１により床支柱１０のベース部１１を覆う設置作業を行う。ベースカバー部２１の取付作業は、矢印Ａ、Ｂに示す方向からベースカバー２１Ａ、２１Ｂを互いに向合せて移動させ、ベースカバー２１Ｂの上面プレート２１Ｂａに取付けられたプレート２３ｃをベースカバー２１Ａの内側に入れ、プレート２３ｃに形成された突部２３ｂを、ベースカバー２１Ａに明けられた穴２３ａに係合させ、ベースカバー２１Ａ、２１Ｂを互いに連結し、ベース部１１を覆う。
次に、ウイスカ飛散防止装置２０の支柱カバー部２５により床支柱１０の支柱部１２と床受部１３とを側方から覆う設置作業を行う。支柱カバー部２５の設置作業は、矢印Ａ、Ｂとは直交する矢印Ｃ、Ｄの方向から支柱カバー２５Ａ、２５Ｂを互いに向合せて移動させ、支柱カバー２５Ｂの側面外側に形成された突部２６ｂを、支柱カバー２５Ａの側面に明けられている穴２６ａに内側から係合させ、支柱カバー２５Ａ、２５Ｂを互いに連結し、床支柱１０の支柱部１２と床受部１３とを側方から覆う。このとき、支柱カバー２５Ａ、２５Ｂには、内側に平板状の止部２７ａが取付けられ、ベースカバー２１Ａ、２１Ｂの連結用カバー２２Ａ、２２Ｂには複数のスリット２７ｂが側面に形成され高さ調整機構が構成されており、平板状の止部２７ａをいずれかのスリット２７ｂに挿入することにより、支柱カバー２５Ａ、２５Ｂを高さ方向に調整取付を行うことができる。【００１０】  図２は、本発明の第１の実施の形態の床支柱のウイスカ飛散防止装置を床支柱に設置したときの側面図を示す。
図２に示すように、床支柱１０は、基礎のコンクリート床２９にベース部１１が固定され、支柱部１２の上側端部に取付けられる床受部１３には、床パネル１９が床パネル係止部１３ｂにより止められ取付けられている。支柱部１２には外周にネジ部１２ａが形成され、支柱部１２と床受部１３とを連結するとともに、高さ調整を行う高さ調整ナット１４が取付けられ、高さ調整ナット１４により所望の高さに床パネル１９が取付けられている。
発明の第１の実施の形態の床支柱のウイスカ飛散防止装置２０は、ベースカバー部２１と支柱カバー部２５とにより床支柱１０を覆っている。ベースカバー部２１は、２個のベースカバー２１Ａ、２１Ｂを水平方向から連結して床支柱１０のベース部１１を覆い、支柱カバー部２５は、２個の支柱カバー２５Ａ、２５Ｂをベースカバー２１Ａ、２１Ｂの連結方向とは直交する水平方向から連結して床支柱１０の支柱部１２と床受部１３とを覆っている。また、支柱カバー２５Ａ、２５Ｂの内側に取付けられた止部２７ａ（図１参照）と、ベースカバー２１Ａ、２１Ｂの連結用カバー２２Ａ、２２Ｂの側面に形成された複数のスリット２７ｂとにより高さ調整機構が構成され、平板状の止部２７ａをいずれかのスリット２７ｂに挿入することにより、支柱カバー２５Ａ、２５Ｂが高さ方向に調整取付されている。【００１１】  以上述べたように、本発明の第１の実施の形態の床支柱のウイスカ飛散防止装置２０は、ベース部１１をベースカバー２１Ａ、２１Ｂにより覆うベースカバー部２１と、ベースカバー２１Ａ、２１Ｂにそれぞれ固定され床支柱１０の支柱部１２の下側を覆う連結用カバー２２Ａ、２２Ｂと、連結用カバー２２Ａ、２２Ｂと連結し、支柱部１２を支柱カバー２５Ａ、２５Ｂにより覆う支柱カバー部２５とにより、床支柱１０を容易に覆い、コンピュータ機器の誤作動をまねく重大な支障を引き起こすことなくウイスカの飛散を容易に防止することができる。ベースカバー部２１と、連結用カバー２２Ａ、２２Ｂと、支柱カバー部２５とは、アルミやステンレスなどのウイスカが発生しない金属板、クロムメッキや、ニッケルメッキや、電気亜鉛メッキなどのウイスカが発生しないメッキを施した鋼板、または、不燃性の樹脂を使用するため、ウイスカが発生し飛散することはない。
また、２個のベースカバー２１Ａ、２１Ｂを互いに向合せ側方から覆う設置方向と、２個の支柱カバー２５Ａ、２５Ｂを互いに向合せ側方から覆う設置方向とを互いに直交方向とすることにより、ベースカバー２１と支柱カバー２５とを強固に固定し設置することができる。
さらに、支柱カバー２５Ａ、２５Ｂを高さ調整機構により高さ調整することにより、床支柱１０の側面を確実に覆うことができる。
なお、支柱カバー２５は、床支柱１０の床受部１３が亜鉛メッキが施されていないアルミダイキャストなどで製造されている場合には、床受部１３を除き覆うようにすることもできる。
【実施例２】
【００１２】  図３は、本発明の第２の実施の形態の床支柱のウイスカ飛散防止装置の斜視図を示す。
本発明の第２の実施の形態の床支柱のウイスカ飛散防止装置３０は、床パネルを支持する亜鉛メッキが施された床支柱１０のベース部１１を覆うベースカバー部３１と、床支柱１０の支柱部１２と床受部１３とを側方から覆う支柱カバー部３５とで構成されている。ベースカバー部３１は、互いに向合せてベース部１１を側方から覆う２個のベースカバー３１Ａ、３１Ｂとで構成されている。支柱カバー部３５は、互いに向合せて支柱部１２と床受部１３とを側方から覆う２個の断面がコの字形状の支柱カバー３５Ａ、３５Ｂと、互いに向合せて支柱部１２の下側を側方から覆い、支柱カバー３５Ａ、３５Ｂが高さ調整可能に連結する２個の断面がコの字形状の高さ調整用カバー３２Ａ、３２Ｂとで構成されている。
高さ調整用カバー３２Ｂには、高さ調整用カバー３２Ａと向き合う側の側面に突部３４ｂが形成されたプレート３４ｃが取付けられ、高さ調整用カバー３２Ａには、高さ調整用カバー３２Ｂの側面に取付けられたプレート３４ｃに形成された突部３４ｂと係合する穴３４ａが明けられている。高さ調整用カバー３２Ａ、３２Ｂは、突部３４ｂと穴部３４ａとにより水平方向から連結し、支柱部１２の下側を側方から覆い、ベース部１１の上に設置することができる。
支柱カバー３５Ｂには、支柱カバー３５Ａと向き合う側の側面外側に突部３６ｂが予め定めた複数個形成され、支柱カバー３５Ａには、支柱カバー３５Ｂと向き合う側の側面に支柱カバー３５Ｂの突部３６ｂと内側で係合する穴３６ａが予め定めた複数個明けられている。支柱カバー３５Ａ、３５Ｂは、突部３６ｂと穴３６ａとにより水平方向から連結することができる。また、支柱カバー３５Ａ、３５Ｂには、内側に凸設した平板状の止部３７ａが取付けられ、平板状の止部３７ａと、高さ調整用カバー３２Ａ、３２Ｂに形成されたスリット３７ｂとにより、支柱カバー３５Ａ、３５Ｂに対し高さ方向に調整取付け可能とする高さ調整機構を構成している。支柱カバー３５Ａ、３５Ｂは、高さ調整機構により高さ調整が行われ高さ調整用カバー３２Ａ、３２Ｂに連結することができる。
ベースカバー３１Ｂには、ベースカバー３１Ａと向き合う側の上面と側面に突部３３ｂが形成されたプレート３３ｃが取付けられ、ベースカバー３１Ａには、ベースカバー３１Ｂの上面と側面に取付けられたプレート３３ｃに形成された突部３３ｂと係合する穴３３ａが明けられている。また、ベースカバー３１Ａ、３１Ｂには、互いに向き合う側に穴部３８ａ、３８ｂが形成されており、ベースカバー３１Ａ、３１Ｂは、互いに連結した高さ調整用カバー３２Ａ、３２Ｂを挟み、突部３３ｂと穴３３ａとにより水平方向から連結することができる。
ベースカバー部３１と、高さ調整用カバー３２Ａと、３２Ｂ、支柱カバー部３５とは、アルミやステンレスなどのウイスカの発生しない金属板、ウイスカの発生しない電気亜鉛メッキなどを施した鋼板、または、不燃性の樹脂を使用する。【００１３】  図３により、ウイスカ飛散防止装置３０を亜鉛メッキが施されている既存の床支柱１０に設置する作業につき説明する。
まず、ウイスカ飛散防止装置３０の高さ調整用カバー３２Ａ、３２Ｂの突部３４ｂと穴部３４ａとにより、高さ調整用カバー３２Ａ、３２Ｂを矢印Ａ、Ｂの方向からから連結し、支柱部１２の下側を側方から覆い、ベース部１１の上に設置する作業を行う。
次に、支柱カバー３５Ａに明けられた穴３６ａと、支柱カバー３５Ｂに形成された突部３６ｂとにより、支柱カバー３５Ａ、３５Ｂを矢印Ａ、Ｂとは直交する矢印Ｃ、Ｄの水平方向から支柱部１２と床受部１３とを覆い連結する作業を行う。このとき、支柱カバー３５Ａ、３５Ｂに取付けられた平板状の止部３７ａと、高さ調整用カバー３２Ａ、３２Ｂに形成されたスリット３７ｂとにより、支柱カバー３５Ａ、３５Ｂは高さ方向に調整し取付ることができる。
ベースカバー部３１の設置作業は、矢印Ａ、Ｂに示す方向または矢印Ｃ、Ｄに示す方向からベースカバー３１Ａ、３１Ｂを互いに向合せて移動させ、ベースカバー３１Ｂの上面プレート３１Ｂａに取付けられたプレート３３ｃをベースカバー３１Ａの内側に入れ、プレート３３ｃに形成された突部３３ｂを、ベースカバー３１Ａに明けられた穴３３ａに係合させ、互いに連結した高さ調整用カバー３２Ａ、３２Ｂを挟み、ベースカバー３１Ａ、３１Ｂを互いに連結し、ベース部１１を覆う。【００１４】  図４は、本発明の第２の実施の形態の床支柱のウイスカ飛散防止装置を床支柱に設置したときの側面図を示す。
図４に示すように、床支柱１０は、基礎のコンクリート床２９にベース部１１が固定され、支柱部１２の上側端部に取付けられる床受部１３には、床パネル１９が床パネル係止部１３ｂにより止められ取付けられている。支柱部１２には外周にネジ部１２ａが形成され、支柱部１２と床受部１３とを連結するとともに、高さ調整を行う高さ調整ナット１４が取付けられ、高さ調整ナット１４により所望の高さに床パネル１９が取付けられている。
発明の第２の実施の形態の床支柱のウイスカ飛散防止装置３０は、ベースカバー３１Ａ、３１Ｂで構成されるベースカバー部３１と、支柱カバー３５Ａ、３５Ｂと高さ調整用カバー３２Ａ、３２Ｂとで構成される支柱カバー部３５とにより床支柱１０を覆っている。
高さ調整用カバー３２Ａ、３２Ｂは、水平方向からから連結し、支柱部１２の下側を側方から覆っている。また、支柱カバー３５Ａ、３５Ｂは、高さ調整用カバー３２Ａ、３２Ｂの連結方向とは直交する水平方向から支柱部１２と床受部１３とを覆い連結し、支柱カバー３５Ａ、３５Ｂに取付けられた平板状の止部３７ａ（図３参照）と、高さ調整用カバー３２Ａ、３２Ｂに形成されたスリット３７ｂとにより、支柱カバー３５Ａ、３５Ｂは高さ方向に調整され取付られている。
さらに、水平方向からベースカバー３１Ａ、３１Ｂは、互いに連結した高さ調整用カバー３２Ａ、３２Ｂを挟み、水平方向から互いに連結し、ベース部１１を覆っている。
以上述べたように、本発明の第２の実施の形態の床支柱のウイスカ飛散防止装置３０は、ベースカバー３１Ａ、３１Ｂで構成されるベースカバー部３１と、支柱カバー３５Ａ、３５Ｂと高さ調整用カバー３２Ａ、３２Ｂとで構成される支柱カバー部３５とにより床支柱１０を容易に覆い、コンピュータ機器の誤作動をまねく重大な支障を引き起こすことなくウイスカの飛散を容易に防止することができる。ベースカバー部３１と、高さ調整用カバー３２Ａと、３２Ｂ、支柱カバー部３５とは、アルミやステンレスなどのウイスカの発生しない金属板、ウイスカの発生しない電気亜鉛メッキなどを施した鋼板、または、不燃性の樹脂を使用するため、ウイスカが発生し飛散することはない。
また、２個の高さ調整用カバー３２Ａ、３２Ｂを互いに向合せ覆う設置方向と、２個の支柱カバー３５Ａ、３５Ｂを互いに向合せ側方から覆う設置方向とを互いに直交方向とすることにより、強固に固定し設置することができる。
さらに、支柱カバー３５Ａ、３５Ｂを高さ調整用カバー３２Ａ、３２Ｂにより高さ調整することにより、床支柱１０の側面を確実に覆うことができる。
なお、支柱カバー３５は、床支柱１０の床受部１３が亜鉛メッキが施されていないアルミダイキャストなどで製造されている場合には、床受部１３を除き覆うようにすることもできる。
【実施例３】
【００１５】  図５は、本発明の第３の実施の形態の床支柱のウイスカ飛散防止装置の側面図を示す。
本発明の第３の実施の形態の床支柱のウイスカ飛散防止装置４０は、床パネル１９を支持する亜鉛メッキが施された床支柱１０のベース部１１を覆うベースカバー部３１と、床支柱１０の支柱部１２と床受部１３とを側方から覆う支柱カバー部４５とで構成されている。ベースカバー部３１は、本発明の第２の実施の形態のものと同一であり、互いに向合せてベース部１１を覆う２個のベースカバー３１Ａ、３１Ｂとで構成されている。
支柱カバー部４５は、互いに向合せて支柱部１２と床受部１３とを側方から覆う２個の断面がコの字形状の支柱カバー４５Ａ、４５Ｂで構成されている。支柱カバー４５Ａ、４５Ｂは、上面の内側コーナにそれぞれ吊下げ部４２が形成されており、床パネル係止部１３ｂの外側で床受ブロック１３ａの上面の空間となった四隅のコーナ部１３ｃに吊下げ、水平方向から支柱部１２と床受部１３とを覆い連結し、ベース部１１の上に吊下げて設置することができる。
ベースカバー３１Ａ、３１Ｂは、互いに連結した支柱カバー４５Ａ、４５Ｂを挟み、水平方向から連結することができる。
ベースカバー部３１と、支柱カバー部４５とは、アルミやステンレスなどのウイスカの発生しない金属板、ウイスカの発生しない電気亜鉛メッキなどを施した鋼板、または、不燃性の樹脂を使用する。
本発明の第３の実施の形態のウイスカ飛散防止装置４０を亜鉛メッキが施されている既存の床支柱１０に設置する作業につき説明する。
まず、支柱カバー４５Ａ、４５Ｂは、吊下げ部４２を床受ブロック１３ａの上面のコーナ部１３ｃに掛けて吊下げ、水平方向から支柱部１２と床受部１３とを覆い連結し、ベース部１１の上で吊下げて設置する作業を行う。
ベースカバー部３１の設置作業は、水平方向からベースカバー３１Ａ、３１Ｂを互いに向合せて移動させ、互いに連結した支柱カバー４５Ａ、４５Ｂを挟み、ベースカバー３１Ａ、３１Ｂを互いに連結し、ベース部１１を覆う。このとき、支柱カバー４５Ａ、４５Ｂは、ベース部１１の上ですき間Ｓを持ち吊下げられるため、床支柱１０の設置したときの高さにばらつきがあったとしても、特に高さ調整をする必要はなく、ベースカバー３１Ａ、３１Ｂは、すき間Ｓの上方で互いに連結した支柱カバー４５Ａ、４５Ｂを挟み連結し、ベース部１１を覆うことができる。【００１６】  以上述べたように、本発明の第３の実施の形態の床支柱のウイスカ飛散防止装置４０は、ベースカバー３１Ａ、３１Ｂで構成されるベースカバー部３１と、支柱カバー４５Ａ、４５Ｂとで構成される支柱カバー部３５とによりにより床支柱１０を容易に覆い、コンピュータ機器の誤作動をまねく重大な支障を引き起こすことなく簡潔構造でウイスカの飛散を容易に防止することができる。ベースカバー部３１と、支柱カバー部４５とは、アルミやステンレスなどのウイスカの発生しない金属板、ウイスカの発生しない電気亜鉛メッキなどを施した鋼板、または、不燃性の樹脂を使用するため、ウイスカが発生し飛散することはない。
また、支柱カバー４５Ａ、４５Ｂは、ベース部１１の上ですき間Ｓを持ち吊下げられるため、床支柱１０の設置したときの高さにばらつきがあったとしても、特に高さ調整をする必要はない。また、ベースカバー３１Ａ、３１Ｂは、すき間Ｓの上方で互いに連結した支柱カバー４５Ａ、４５Ｂを挟み連結するため、ベース部１１を覆うことができる。
【実施例４】
【００１７】  図６は、本発明の第４の実施の形態の床支柱のウイスカ飛散防止装置の側面図を示す。
本発明の第４の実施の形態の床支柱のウイスカ飛散防止装置５０は、床支柱１０の床受部１３が亜鉛メッキが施されていないアルミダイキャストなどで製造されている場合に床受部１３を除き覆うようにするもので、床パネルを支持する亜鉛メッキが施された床支柱１０のベース部１１を覆うベースカバー部３１と、床支柱１０の支柱部１２を側方から覆う支柱カバー部５５とで構成されている。ベースカバー部３１は、本発明の第２の実施の形態のものと同一であり、互いに向合せてベース部１１を覆う２個のベースカバー３１Ａ、３１Ｂとで構成されている。
支柱カバー部５５は、互いに向合せて支柱部１２を側方から覆う２個の断面がコの字形状の支柱カバー５５Ａ、５５Ｂで構成されている。支柱カバー５５Ａ、５５Ｂは、上面側にそれぞれ床受部１３の断面形状に対応する半円形状の吊下げ部５２が形成されており、高さ調整ナット１４の上面に吊下げ、水平方向から支柱部１２を覆い連結し、ベース部１１の上で吊下げて設置することができる。
ベースカバー３１Ａ、３１Ｂは、互いに連結した支柱カバー５５Ａ、５５Ｂを挟み、水平方向から連結することができる。
ベースカバー部３１と、支柱カバー部５５とは、アルミやステンレスなどのウイスカの発生しない金属板、ウイスカの発生しない電気亜鉛メッキなどを施した鋼板、または、不燃性の樹脂を使用する。
本発明の第４の実施の形態のウイスカ飛散防止装置５０を亜鉛メッキが施されている既存の床支柱１０に設置する作業につき説明する。
まず、支柱カバー５５Ａ、５５Ｂは、吊下げ部５２を高さ調整ナット１４に吊下げ、水平方向から支柱部１２を覆い連結し、ベース部１１の上に吊下げて設置する作業を行う。
ベースカバー部３１の設置作業は、水平方向からベースカバー３１Ａ、３１Ｂを互いに向合せて移動させ、互いに連結した支柱カバー５５Ａ、５５Ｂを挟み、ベースカバー３１Ａ、３１Ｂを互いに連結し、ベース部１１を覆う。このとき、支柱カバー５５Ａ、５５Ｂは、ベース部１１の上ですき間Ｓを持ち吊下げられるため、床支柱１０の設置したときの高さにばらつきがあったとしても、特に高さ調整をする必要はなく、ベースカバー３１Ａ、３１Ｂは、すき間Ｓの上方で互いに連結した支柱カバー４５Ａ、４５Ｂを挟み連結し、ベース部１１を覆うことができる。【００１８】  以上述べたように、本発明の第４の実施の形態の床支柱のウイスカ飛散防止装置５０は、ベースカバー３１Ａ、３１Ｂで構成されるベースカバー部３１と、支柱カバー５５Ａ、５５Ｂとで構成される支柱カバー部４５とにより、簡潔構造でウイスカの飛散を容易に防止することができる。ベースカバー部３１と、支柱カバー部５５とは、アルミやステンレスなどのウイスカの発生しない金属板、ウイスカの発生しない電気亜鉛メッキなどを施した鋼板、または、不燃性の樹脂を使用するため、ウイスカが発生し飛散することはない。
また、支柱カバー５５Ａ、５５Ｂは、ベース部１１の上ですき間Ｓを持ち吊下げられるため、床支柱１０の設置したときの高さにばらつきがあったとしても、特に高さ調整をする必要はない。また、ベースカバー３１Ａ、３１Ｂは、すき間Ｓの上方で互いに連結した支柱カバー４５Ａ、４５Ｂを挟み連結するため、ベース部１１を覆うことができる。
【実施例５】
【００１９】  図７は、本発明の第５の実施の形態の床支柱のウイスカ飛散防止装置の側面図を示す。
本発明の第５の実施の形態の床支柱のウイスカ飛散防止装置６０は、床パネルを支持する亜鉛メッキが施された床支柱１０のベース部１１を覆うベースカバー部３１と、床支柱１０の支柱部１２と床受部１３とを側方から覆う支柱カバー部６５とで構成されている。ベースカバー部３１は、本発明の第２の実施の形態のものと同一であり、互いに向合せてベース部１１を覆う２個のベースカバー３１Ａ、３１Ｂとで構成されている。
支柱カバー部６５は、互いに向合せて床支柱１０を側方から覆う２個の断面がコの字形状の支柱カバー６５Ａ、６５Ｂで構成されている。支柱カバー６５Ａ、６５Ｂは、１９との間にすき間Ｓｕができる高さに設定しているため、床支柱１０の設置したときの高さにばらつきがあったとしても所定の範囲内で、水平方向から支柱部１２と床受部１３とを覆い連結し、ベース部１１の上に設置することができる。
ベースカバー３１Ａ、３１Ｂは、互いに連結した支柱カバー６５Ａ、６５Ｂを挟み、水平方向から連結することができる。
ベースカバー部３１と、支柱カバー部６５とは、アルミやステンレスなどのウイスカの発生しない金属板、ウイスカの発生しない電気亜鉛メッキなどを施した鋼板、または、不燃性の樹脂を使用する。
本発明の第５の実施の形態のウイスカ飛散防止装置６０を亜鉛メッキが施されている既存の床支柱１０に設置する作業につき説明する。
まず、支柱カバー６５Ａ、６５Ｂは、床パネル１９とのすき間Ｓｕを持ち水平方向から支柱部１２、床受部１３、床受ブロック１３ａとを覆い連結し、ベース部１１の上に設置する作業を行う。
ベースカバー部３１の設置作業は、水平方向からベースカバー３１Ａ、３１Ｂを互いに向合せて移動させ、互いに連結した支柱カバー６５Ａ、６５Ｂを挟み、ベースカバー３１Ａ、３１Ｂを互いに連結し、ベース部１１を覆う。このとき、支柱カバー６５Ａ、６５Ｂは、すき間Ｓｕを持ち支柱部１２と床受部１３とを覆うように設置されるため、特に高さ調整をする必要はなく、ベースカバー３１Ａ、３１Ｂは、互いに連結した支柱カバー６５Ａ、６５Ｂを挟み連結し、ベース部１１を覆うことができる。床受ブロック１３ａは、亜鉛メッキが施されていないため、すき間Ｓｕがあったとしても問題はない。【００２０】  以上述べたように、本発明の第５の実施の形態の床支柱のウイスカ飛散防止装置６０は、ベースカバー３１Ａ、３１Ｂで構成されるベースカバー部３１と、支柱カバー６５Ａ、６５Ｂとで構成される支柱カバー部６５とにより床支柱１０を容易に覆い、コンピュータ機器の誤作動をまねく重大な支障を引き起こすことなく簡潔構造でウイスカの飛散を容易に防止することができる。ベースカバー部３１と、支柱カバー部６５とは、アルミやステンレスなどのウイスカの発生しない金属板、ウイスカの発生しない電気亜鉛メッキなどを施した鋼板、または、不燃性の樹脂を使用するため、ウイスカが発生し飛散することはない。
また、支柱カバー６５Ａ、６５Ｂは、床パネル１９とすき間Ｓｕを持ち設置されるため、特に高さ調整をする必要はなく、ベースカバー３１Ａ、３１Ｂは、互いに連結した支柱カバー６５Ａ、６５Ｂを挟み連結し、ベース部１１を覆うことができる。
なお、実施例１から実施例５で使用するベースカバー部２１、３１と、支柱カバー部２５、３５、４５、５５、６５と、連結用カバー２２Ａ、２２Ｂと、高さ調整用カバー３２Ａ、３２Ｂとは、断面がコの字形状のものを互いに向合せ連結するため、容易に連結を行うことができる。
【図面の簡単な説明】
【００２１】
【図１】  本発明の第１の実施の形態の床支柱のウイスカ飛散防止装置の斜視図を示す。
【図２】  本発明の第１の実施の形態の床支柱のウイスカ飛散防止装置を床支柱に設置したときの側面図を示す。
【図３】  本発明の第２の実施の形態の床支柱のウイスカ飛散防止装置の斜視図を示す。
【図４】  本発明の第２の実施の形態の床支柱のウイスカ飛散防止装置を床支柱に設置したときの側面図を示す。
【図５】  本発明の第３の実施の形態の床支柱のウイスカ飛散防止装置の側面図を示す。
【図６】  本発明の第４の実施の形態の床支柱のウイスカ飛散防止装置の側面図を示す。
【図７】  本発明の第５の実施の形態の床支柱のウイスカ飛散防止装置の側面図を示す。
【符号の説明】
【００２２】１０  床支柱
１１  ベース部
１２  支柱部
１３  床受部
１４  高さ調整ナット
１３ｂ  床パネル係止部
２０、３０、４０、５０、６０  ウイスカ飛散防止装置
２１、３１  ベースカバー部
２１Ａ、２１Ｂ、３１Ａ、３１Ｂ  ベースカバー
２２Ａ、２２Ｂ  連結用カバー
２３ｂ、２６ｂ、３３ｂ、３６ｂ  突部
２３ａ、２６ａ３３ａ、３６ａ  穴
２５、３５、４５、５５、６５  支柱カバー部
２５Ａ、２５Ｂ、３５Ａ、３５Ｂ、４５Ａ、４５Ｂ、５５Ａ、５５Ｂ、６５Ａ、６５Ｂ  支柱カバー
２７ａ、３７ａ  止部
２７ｂ２７ｂ  スリット
３２Ａ、３２Ｂ  高さ調整用カバー
４２、５２  吊下げ部
【図１】
2006144520.tif 000003
【図２】
2006144520.tif 000004
【図３】
2006144520.tif 000005
【図４】
2006144520.tif 000006
【図５】
2006144520.tif 000007
【図６】
2006144520.tif 000008
【図７】
2006144520.tif 000009